(57)【要約】      （修正有）【課題】落ちやすく汚れやすい或いは紛失するなどの欠点を改善したキャップの構造を提供する。【解決手段】主にキャップ１、連結リブ１１及び抵触部１２を含むキャップの構造である。連結リブはキャップの底部より下に延伸し、且つ連結リブのサイド側より抵触部を延伸する。それによりキャップはボトル本体２のネック２１と結合することができ、ネックの開口を開閉することができる。連結リブ、抵触部はボトル本体内に位置し、且つ抵触部と連結リブで作る水平面積がネックの断面積より大きく、それによりキャップとボトル本体が定位結合し、力を受けて離脱しにくくなる。【選択図】図１
0003183238.tif 000002
【実用新案登録請求の範囲】
【請求項１】
キャップ、連結リブ及び抵触部を含み、
該連結リブはキャップの底部より下に延伸し、且つ連結リブのサイド側より抵触部を延伸し、それによりキャップはボトル本体のネックと結合することができ、ネックの開口を開閉することができ、
連結リブ、抵触部はボトル本体内に位置し、且つ抵触部と連結リブで作る水平面積がネックの断面積より大きく、それによりキャップとボトル本体が定位結合し、力を受けて離脱しにくくなることを特徴とするキャップの構造。
【請求項２】
該抵触部の一端は連結リブと結合し、別端は次第に上向きに延伸することで、抵触部は更にキャップがネックに相対して離脱方向で抵抗することを特徴とする請求項１記載のキャップの構造。
【請求項３】
該キャップ、連結リブ及び抵触部は一つに連結することで、構造の強度を増すことができることを特徴とする請求項１記載のキャップの構造。
【請求項４】
該キャップの底部から抵触部までの垂直の長さはネックの長さより長いことを特徴とする請求項１記載のキャップの構造。
【請求項５】
該抵触部は少なくとも三本のスチフナで構成することを特徴とする請求項１記載のキャップの構造。
【考案の詳細な説明】
【技術分野】
【０００１】
本考案はキャップの構造に関し、特にボトル本体に定位結合して離脱しにくいデザインのキャップの構造に関する。
【背景技術】
【０００２】
従来技術のキャップは中華民国公知の特許申請案第Ｍ４２４３１１号の『滑り止めキャップ』のように、含まれているのは一つの瓶或いはカン本体及び一つの瓶或いはカンの蓋である。当該瓶或いはカンの蓋の外周面に予め一つ以上の溝、一つ以上の弾性部品を設ける必要があり、該弾性部品の体積は該溝の容積より大きく、且つ該弾性部品を該溝に入れる、套入する、嵌める、或いは植入することで、該弾性部品が該瓶或いはカンの蓋の外周面より突出することができる。よって、ユーザーは該瓶或いはカンの本体及び該瓶或いはカンの蓋の弾性部品を持つと、該弾性部品は滑り止め作用が生じるため、簡単にキャップを緩めることができる。本考案の案出により大変便利となり、特定企業の製品識別マークとすることもできる。
【０００３】
しかし、該従来技術のキャップは、瓶本体の開口を閉じる効果はあるが、瓶のキャップは不注意で地面に落としやすく、キャップが汚れて洗う必要があるほか、室外にいる場合、キャップが地面に落ちると、下水道或いは溝にまで転げて取り戻しにくい状況もあり、その場合、瓶の開口を閉じるほかの代用品を探さなくてはならなくなる。またはボトルを破棄して新しいボトルを購入することもあり、無駄な浪費や困惑する状況が生じることがある。また、キャップが地面に落ちた時、ほかの物に踏まれたり、押されたりして変形した場合、該キャップで蓋合することはできず、破棄する場合もあるなどを鑑みて、更なる改善が必要であった。
【先行技術文献】
【特許文献】
【０００４】
【特許文献１】特開２００５−３５６６１号公報
【考案の概要】
【考案が解決しようとする課題】
【０００５】
前記公知構造の欠点を解決するため、本考案は従来のキャップがボトル本体と固定した結合構造ではないために、落ちやすく汚れやすい或いは紛失するなどの欠点を改善したキャップの構造を提供することを主な課題とする。
【課題を解決するための手段】
【０００６】
上述の目的を解決するために、本考案はキャップの構造を提供するものである。本考案に含まれるのはキャップ、連結リブ及び抵触部であり、該連結リブはキャップの底部より下に延伸し、且つ連結リブのサイド側より抵触部を延伸し、それによりキャップはボトル本体のネックと結合することができ、ネックの開口を開閉することができる。連結リブ、抵触部はボトル本体内に位置し、且つ抵触部と連結リブで作る水平面積がネックの断面積より大きく、それによりキャップとボトル本体が定位結合し、力を受けて離脱しにくくなる。
【０００７】
本考案の抵触部の一端は連結リブと結合し、別端は次第に上向きに延伸することで、該抵触部は傾斜したフック状を呈すため、キャップを上向きにネックから離すと、抵触部はボトル本体の内壁に抵触し、連結リブを下向きに彎曲できることにより、抵触部は更にキャップがネックに相対して離脱する方向で抵抗することができる。
【０００８】
該キャップ、連結リブ及び抵触部は一つに連結することで、構造の強度を増すことができ、且つ抵触部はキャップとネックの反復した離脱動作により、抵触部がボトル本体の内壁を押して彎曲や摩擦して断裂することはない。
【０００９】
本考案のキャップの底部から抵触部までの垂直の長さはネックの長さより長いため、キャップとネックを螺合する際、抵触部がボトル本体内にある場合でも、ネックの底部とかなりの距離を保つことができ、キャップとネックを離す動作を干渉することはない。キャップとネックを離した後、抵触部は初めてボトル本体の内壁に抵触し、キャップがボトル本体から離脱するのを防止する。  
【００１０】
本考案の抵触部は少なくとも三本のスチフナで構成する。棒状のスチフナにより、有効的にキャップとボトル本体を固定する効果を持つ。
【考案の効果】
【００１１】
本考案は連結リブ及び抵触部の設置により、キャップとネックを離した後、抵触部はボトル本体の内壁に抵触し、キャップがボトル本体から離脱するのを防止する。
【図面の簡単な説明】
【００１２】
【図１】本考案の各部品の立体略図である。
【図２】本考案とボトル本体の結合断面図である。
【図３】本考案の使用状態断面図である。
【図４】本考案の使用状態断面図である。
【図５】本考案の第二実施例の略図である。
【考案を実施するための形態】
【００１３】
本考案によるキャップの構造を明確に示すために図に沿って詳細な説明を行う。図１から図４に示すように、本考案の主な実施例に含まれるのはキャップ１、連結リブ１１及び抵触部１２である。(本考案の抵触部１２は少なくとも三本のスチフナ１２１で構成する)。
【００１４】
該連結リブ１１はキャップ１の底部より下に延伸し、且つ連結リブ１１のサイド側より抵触部１２を延伸する。図１、図２に示すように、本考案に含まれるのはボトル本体２、ボトル本体２の上部にネック２１を設け、該キャップ１はネック２１と螺合することができる。該キャップ１は円柱状であり、底部は内側に窪んで適切なスペースを具有する。該連結リブ１１はキャップ１の底部より下向きに延伸し、抵触部１２(スチフナ１２１)は連結リブ１１の底部よりサイド側に放射状に延伸する。且つ該抵触部１２(スチフナ１２１)の一端は連結リブ１１と結合し、別端は次第に上向きに延伸することで、抵触部１２(スチフナ１２１)は傾斜したフック状を呈す。また該キャップ１、連結リブ１１及び抵触部１２(スチフナ１２１)は一つに連結することで、構造の強度を増すことができる。
【００１５】
それによりキャップ１はボトル本体２のネック２１と結合することができ、ネック２１の開口を開閉することができる。連結リブ１１、抵触部１２はボトル本体２内に位置し、且つ抵触部１２と連結リブ１１で作る水平面積がネック２１の断面積より大きく、それによりキャップ１とボトル本体２が定位結合し、力を受けて離脱しにくくなる。図２、図３及び図４に示すように、該キャップ１の底部から抵触部１２(スチフナ１２１)までの垂直の長さはネック２１の長さより長いため、キャップ１とネック２１を螺合する際、抵触部１２(スチフナ１２１)がボトル本体２内にある場合でも、ネック２１の底部とかなりの距離を保つことができ、キャップ１とネック２１を離す動作を干渉することはない。キャップ１とネック２１を離した後、抵触部１２(スチフナ１２１)は初めてボトル本体２の内壁に抵触し、キャップ１がボトル本体２から離脱するのを防止する。
【００１６】
及び、該抵触部１２(スチフナ１２１)は傾斜したフック状を呈すため、キャップ１を上向きにネック２１から離すと、抵触部１２(スチフナ１２１)はボトル本体２の内壁に抵触するし、連結リブ11を下向きに彎曲できることにより、抵触部１２(スチフナ１２１)は更にキャップ１がネック２１に相対して離脱方向で抵抗することができる。また、キャップ１、連結リブ１１及び抵触部１２(スチフナ１２１)は一体に連結することで、抵触部１２(スチフナ１２１はキャップ１とネック２１の反復した離脱動作により、抵触部１２(スチフナ１２１)がボトル本体２の内壁に押されて彎曲や摩擦して断裂することがない。
【００１７】
本考案の第二実施例は図５に示す通りであり、五本のスチフナ１２を具有することで、キャップ１がボトル本体２に対し、更なる離脱防止効果を具有する。
【００１８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１９】
１  キャップ
１１  連結リブ
１２  抵触部
１２１  スチフナ
２  ボトル本体
２１  ネック
【図１】
0003183238.tif 000003
【図２】
0003183238.tif 000004
【図３】
0003183238.tif 000005
【図４】
0003183238.tif 000006
【図５】
0003183238.tif 000007